(57)【要約】【課題】  生体の表面を穿刺する器具において、複数の穿刺針を備え、簡単な操作で穿刺動作を連続的に行うことができ、さらに安全性の高い穿刺器具セットを提供することを目的とする。  【解決手段】  円筒状の筐体と、軸方向に直列に連結した状態で保持される複数個の穿刺針と、前記筐体内部に前記複数個の穿刺針を直列的に配列するための穿刺針カートリッジと、前記穿刺針カートリッジを、その軸方向の所定位置で係止させるための係止部材と、前記穿刺針カートリッジを一方向へ付勢する弾性付勢部材とを有する穿刺器具と、前記穿刺針の穿刺後に、引き続く穿刺動作に入るために、前記穿刺針カートリッジの穿刺位置のセットと、使用済みの前記穿刺針の廃棄とを可能とする穿刺針交換ジグとからなる構成とした。【選択図】  図１
2005046474.tif 000002
【特許請求の範囲】
【請求項１】
生体の表面を穿刺する穿刺針を複数個内蔵し、連続して穿刺動作可能な穿刺器具に用いるための穿刺針カートリッジであって、
前記複数個の穿刺針がその軸方向に直列に連結した状態で保持される構成とした、
ことを特徴とする穿刺針カートリッジ。
【請求項２】
請求項１に記載の穿刺針カートリッジにおいて、
前記穿刺針は、その先端が他の穿刺針の一部分によって保護された状態で直列に連結される構成をもつ、
ことを特徴とする穿刺針カートリッジ。
【請求項３】
請求項１または２に記載の穿刺針カートリッジにおいて、
前記穿刺針は、弾性変形部材が一体的に設けられたものであり、
前記複数個の穿刺針は、互いの穿刺針が前記弾性変形部材により連結されたものである、
ことを特徴とする穿刺針カートリッジ。
【請求項４】
請求項１ないし３のいずれかに記載の穿刺針カートリッジにおいて、
当該穿刺針カートリッジ内における前記穿刺針の逆戻りを防ぐ穿刺針係止部材を備えた、
ことを特徴とする穿刺針カートリッジ。
【請求項５】
請求項４に記載の穿刺針カートリッジにおいて、
前記穿刺針係止部材は、当該穿刺針カートリッジ内部の一定の間隔毎に備えたものである、
ことを特徴とする穿刺針カートリッジ。
【請求項６】
請求項４または５に記載の穿刺針カートリッジにおいて、
前記複数の穿刺針の連結力を、直列配列された構成が可能な状態で、かつ前記穿刺針係止部材の抵抗力より大きくなるように設定した、
ことを特徴とする穿刺針カートリッジ。
【請求項７】
請求項１ないし６のいずれかに記載の穿刺針カートリッジにおいて、
弾性部材からなり、当該穿刺針カートリッジ内の先頭に位置する穿刺針を把持し、該穿刺針の穿刺器具本体からの抜け出し、及び脱落を防ぐ弾性係止部材を備えた、
ことを特徴とする穿刺針カートリッジ。
【請求項８】
請求項１ないし７のいずれかに記載の穿刺針カートリッジにおいて、
前記穿刺針は、前記穿刺針係止部材、及び前記弾性係止部材によって係止するための窪み部を表面に有する形状とした、
ことを特徴とする穿刺針カートリッジ。
【請求項９】
請求項１ないし８のいずれかに記載の穿刺針カートリッジにおいて、
前記直列に連結した複数の穿刺針の先頭に、該穿刺針の針部分を保護する穿刺針キャップを設けた、
ことを特徴とする穿刺針カートリッジ。
【請求項１０】
請求項１ないし９のいずれかに記載の穿刺針カートリッジにおいて、
前記穿刺器具の筐体と係合し、軸廻りに対して回転しないようにするための回転止め部材を備えた、
ことを特徴とする穿刺針カートリッジ。
【請求項１１】
請求項１ないし１０のいずれかに記載の穿刺針カートリッジにおいて、
当該穿刺針カートリッジ内における複数の穿刺針の残量を確認可能とする残量確認手段を備えた、
ことを特徴とする穿刺針カートリッジ。
【請求項１２】
請求項１１に記載の穿刺針カートリッジにおいて、
前記残量確認手段は、前記複数の穿刺針の個々の色を変えたものである、
ことを特徴とする穿刺針カートリッジ。
【請求項１３】
請求項１１に記載の穿刺針カートリッジにおいて、
前記残量確認手段は、前記複数の穿刺針の個々に番号（密番）を付したものである、
ことを特徴とする穿刺針カートリッジ。
【請求項１４】
請求項１ないし１３のいずれかに記載の穿刺針カートリッジにおいて、
前記穿刺針を新たに配列する際、前記直列に連結した複数個の穿刺針を当該穿刺針カートリッジに装填する、
ことを特徴とする穿刺針カートリッジ。
【請求項１５】
請求項１４に記載の穿刺針カートリッジにおいて、
前記直列に連結した複数個の穿刺針を該穿刺器具本体に一方向から装填可能とした、
ことを特徴とする穿刺針カートリッジ。
【請求項１６】
請求項１５に記載の穿刺針カートリッジにおいて、
弾性的に変位可能で、前記直列に連結した複数個の穿刺針の装填時の誤装填を防ぐ誤装填防止返し部材を備えた、
ことを特徴とする穿刺針カートリッジ。
【請求項１７】
請求項１ないし１６のいずれかに記載の穿刺針カートリッジにおいて、
当該穿刺針カートリッジを前記穿刺器具に着脱可能な構成とした、
ことを特徴とする穿刺針カートリッジ。
【請求項１８】
生体の表面を穿刺する穿刺針を複数個内蔵し、連続して穿刺動作可能な穿刺器具セットであって、
円筒状の筐体と、
軸方向に直列に連結した状態で保持される複数個の穿刺針を内蔵し、前記筐体内部に該複数個の穿刺針を直列的に配列するための穿刺針カートリッジと、
前記穿刺針カートリッジを、その軸方向の所定位置で係止させる係止部材と、
前記穿刺針カートリッジを一方向へ付勢する弾性付勢部材とを有する穿刺器具と、
前記穿刺針の穿刺後に、引き続く穿刺動作に入るために、前記穿刺針カートリッジの穿刺位置のセットと、使用済みの前記穿刺針の廃棄とを可能とする穿刺針交換ジグとからなる、
ことを特徴とする穿刺器具セット。
【請求項１９】
請求項１８に記載の穿刺器具セットにおいて、
前記穿刺針交換ジグは、穿刺後の穿刺針を把持し係止して、前記穿刺器具本体から該穿刺針を抜き取る返し部材を備えた、
ことを特徴とする穿刺器具セット。
【請求項２０】
請求項１８または１９に記載の穿刺器具セットにおいて、
前記穿刺針交換ジグは、前記穿刺針の抜き取り動作と同時に、前記穿刺針を内蔵する穿刺針カートリッジを、穿刺を準備する位置にチャージする、
ことを特徴とする穿刺器具セット。
【請求項２１】
請求項１８ないし２０のいずれかに記載の穿刺器具セットにおいて、
前記複数個の穿刺針は、その先端が他の穿刺針の一部分によって保護された状態で直列に連結されたものである、
ことを特徴とする穿刺器具セット。
【請求項２２】
請求項１８ないし２１のいずれかに記載の穿刺器具セットにおいて、
前記穿刺針は、弾性変形部材が一体的に設けられたものであり、
前記複数個の穿刺針は、互いの穿刺針が前記弾性変形部材により連結されたものである、
ことを特徴とする穿刺器具セット。
【請求項２３】
請求項１８ないし２２のいずれかに記載の穿刺器具セットにおいて、
前記穿刺針カートリッジ内における前記穿刺針の逆戻りを防ぐ穿刺針係止部材を備えた、
ことを特徴とする穿刺器具セット。
【請求項２４】
請求項２３に記載の穿刺器具セットにおいて、
前記穿刺針係止部材は、前記穿刺針カートリッジに一体に備えたものである、
ことを特徴とする穿刺器具セット。
【請求項２５】
請求項２３または２４に記載の穿刺器具セットにおいて、
前記穿刺針係止部材は、前記穿刺針カートリッジ内部の一定の間隔毎に設けられたものである、
ことを特徴とする穿刺器具セット。
【請求項２６】
請求項２３ないし２５のいずれかに記載の穿刺器具セットにおいて、
前記複数の穿刺針の連結力を、直列配列された構成が可能な状態で、かつ前記穿刺針係止部材の抵抗力より大きくなるように設定した、
ことを特徴とする穿刺器具セット。
【請求項２７】
請求項１８ないし２６のいずれかに記載の穿刺器具セットにおいて、
穿刺針の廃棄動作時に、前記穿刺針カートリッジ内に直列的に配列した複数の穿刺針が前方へ繰り出すときの移動距離が、穿刺針の長さに等しくなるような構成とした、
ことを特徴とする穿刺器具セット。
【請求項２８】
請求項２７に記載の穿刺器具セットおいて、
前記繰り出しの移動距離が、前記穿刺針係止部材により決まる構成とした、
ことを特徴とする穿刺器具セット。
【請求項２９】
請求項１８ないし２８のいずれかに記載の穿刺器具セットにおいて、
弾性部材からなり、前記穿刺針カートリッジ内の先頭に位置する穿刺針を把持し、該穿刺針の穿刺器具本体からの抜け出し、及び脱落を防ぐ弾性係止部材を備えた、
ことを特徴とする穿刺器具セット。
【請求項３０】
請求項２９に記載の穿刺器具セットにおいて、
前記弾性係止部材は、前記穿刺針カートリッジに一体に備えたものである、
ことを特徴とする穿刺器具セット。
【請求項３１】
請求項２９または３０に記載の穿刺器具セットにおいて、
前記弾性係止部材は、前記穿刺針交換ジグの先端部との嵌合動作により、廃棄動作時に弾性範囲内の変形量で、穿刺を終えた穿刺針の把持が解除される構成とした、
ことを特徴とする穿刺器具セット。
【請求項３２】
請求項１８ないし３１のいずれかに記載の穿刺器具セットにおいて、
前記穿刺針は、前記穿刺針係止部材、及び前記弾性係止部材によって係止するための窪み部を表面に有する形状とした、
ことを特徴とする穿刺器具セット。
【請求項３３】
請求項１８ないし３２のいずれかに記載の穿刺器具セットにおいて、
前記直列に連結した複数の穿刺針の先頭に、該穿刺針の針部分を保護する穿刺針キャップを設けた、
ことを特徴とする穿刺器具セット。
【請求項３４】
請求項１８ないし３３のいずれかに記載の穿刺器具セットにおいて、
前記穿刺針カートリッジと前記穿刺器具の筐体とは、それぞれが係合することによって、お互いの軸廻りに対して相対的に回転しないようにする回転止め部材を有しており、
前記穿刺針カートリッジが軸方向のみ摺動可能に構成されている、
ことを特徴とする穿刺器具セット。
【請求項３５】
請求項１８ないし３４のいずれかに記載の穿刺器具セットにおいて、
前記穿刺器具は、前記穿刺針カートリッジの移動距離を規制（して穿刺深さを調節）するための距離規制部材を備えた、
ことを特徴とする穿刺器具セット。
【請求項３６】
請求項１８ないし３５のいずれかに記載の穿刺器具セットにおいて、
前記穿刺針カートリッジ内における複数の穿刺針の残量を確認可能とする残量確認手段を備えた、
ことを特徴とする穿刺器具セット。
【請求項３７】
請求項３６に記載の穿刺器具セットにおいて、
前記残量確認手段は、前記穿刺針の個々の色を変えることで残量確認を行うものである、
ことを特徴とする穿刺器具セット。
【請求項３８】
請求項３６に記載の穿刺器具セットにおいて、
前記残量確認手段は、前記穿刺器具本体に確認窓を設けることで残量確認を行うものである、
ことを特徴とする穿刺器具セット。
【請求項３９】
請求項３６に記載の穿刺器具セットにおいて、
前記残量確認手段は、前記穿刺針に番号（密番）を付けることで残量確認を行うものである、
ことを特徴とする穿刺器具セット。
【請求項４０】
請求項１８ないし３９のいずれかに記載の穿刺器具セットにおいて、
前記穿刺針を前記穿刺器具に新たに配列する際、前記直列に連結した複数個の穿刺針を前記穿刺器具本体に装填する、
ことを特徴とする穿刺器具セット。
【請求項４１】
請求項４０に記載の穿刺器具セットにおいて、
前記直列に連結した複数個の穿刺針を該穿刺器具本体に一方向から装填可能とした、
ことを特徴とする穿刺器具セット。
【請求項４２】
請求項４１に記載の穿刺器具セットにおいて、
弾性的に変位可能で、前記直列に連結した複数個の穿刺針の装填時の誤装填を防ぐ誤装填防止返し部材を備えた、
ことを特徴とする穿刺器具セット。
【請求項４３】
請求項１８ないし４２のいずれかに記載の穿刺器具セットにおいて、
前記穿刺針カートリッジを当該穿刺器具に着脱可能とした、
ことを特徴とする穿刺器具セット。
【発明の詳細な説明】
【技術分野】
【０００１】
本発明は、血糖値を測定する場合などの採血用に使用する穿刺針カートリッジ、及び穿刺器具セット関するものであり、特に複数個の穿刺針を連続使用するための穿刺針カートリッジ、及び穿刺器具セットに関するものである。
【背景技術】
【０００２】
糖尿病の患者さんは、自分自身で血糖値を一日に数回測定している。この測定時に、指先などから少量の血液を採取する必要がある。そのために、図９に示したように、穿刺器具９００と言われる装置に使い捨ての穿刺針９０６を取り付け、その穿刺針９０６によって、指先や腕などを穿刺し、その穿刺した部位からの出血を測定に用いる。一般的な穿刺器具９００は筒状の本体ケース９０１とキャップ部分９１３とから構成されている。本体部分には取り付けた穿刺針９０６を打ち出すための第１のバネ９０３、打ち出した穿刺針９０６を後退させるための第２のバネ９０４および圧縮された第１のバネを解放するための穿刺ボタン９０２を有している。
【０００３】
使用方法は、本体からキャップ９１３を外し、本体に穿刺針９０６を装着し、再度キャップ９１３を本体にかぶせる。そして、第１のバネ９０３を圧縮して、穿刺動作を可能状態とし、キャップ９１３の穿刺部押圧面９０７を指先などの穿刺部に当て、穿刺ボタン９０２を押すことにより穿刺針９０６が打ち出され、その後、第２のバネ９０４により穿刺針９０６は即座に指先などから後退することになる。この動作によって血液を採取することができる。一度使用した穿刺針９０６を再使用することは衛生面から非常に危険である。そのため、次の使用時には穿刺針９０６を交換する必要がある（例えば特許文献１参照。）。
【０００４】
また、数本の穿刺針を格納し、これらを個別に順番に使用して穿刺動作を行うものもある。穿刺後は、穿刺針を装置から個別に取り除くことができる。穿刺針を前後に移動するための駆動手段として、穿刺針に設けられた板ばねの弾力を利用したものがある（例えば特許文献２参照。）。
【特許文献１】特開２０００−２３７１７２号公報（第３−４頁、第１図）
【特許文献２】米国特許第４，７９４，９２６号公報（第３−４頁、第１図）
【発明の開示】
【発明が解決しようとする課題】
【０００５】
ところで、使用者は、従来の穿刺器具システム（穿刺針および穿刺動作工程）における手作業による動作段階の多くを面倒だと思っている。このため、使用者は、一度挿入された穿刺針を、穿刺動作および血液採取のために数回使用してしまいがちになる。１本の穿刺針を複数回使用することは、特に穿刺針を２人以上の人物に使用する場合、衛生面の理由から避けなければならない。このような状況は、例えば開業医院、病院において起こり得るが、子供が間違って使用してしまうケースも除外できない。
【０００６】
一方で、穿刺針は１回使い捨て用として製造されているので、複数回使用すれば先端がすぐに鈍くなってしまうため、穿刺針の連続使用は患者にさらに痛みを与える原因となる。さらに、従来技術による穿刺装置および穿刺針では、穿刺装置への穿刺針の挿入を正確に行えない危険性がある。また、穿刺針および穿刺装置を誤使用した場合、使用者が誤って怪我をする危険性もある。
【０００７】
穿刺動作を実行するには、まず血液採取装置（穿刺装置）内の穿刺針を移動または穿刺方向へ変位させ（すなわち、先端を穿刺する身体範囲へと向かって移動させる）、次に、初期位置へと牽引して後退させる必要がある。
【０００８】
例えば穿刺針マガジンを使用して行う穿刺針の自動交換は、このような穿刺針を穿刺針ホルダで密封する必要のあるシステムでは実現が難しい。さらに、穿刺針に穿刺針本体を設ける必要がある。この穿刺針本体は穿刺針ホルダに取り付けられ、特に後進移動を確実に行えるように、穿刺針とホルダ間の接続を強化するものである。また、多くの場合、使用する穿刺針の本数が多いため、これらをマガジンに格納することで穿刺針システムが大きくなってしまう。
【０００９】
以上のように、従来技術では穿刺針の交換時に使用済みの穿刺針で指先を怪我する危険性があり、また一日数回測定するため、穿刺針の交換が非常に煩わしい。特に、糖尿病の合併症等により、目の不自由な患者さんにとっては大きな問題である。
【００１０】
本発明の目的は、上記問題を解決するために為されたものであって、できるだけ本体をスリムに体積を取らずに複数の穿刺針を備え、簡単な操作で穿刺動作を連続的に行うことができ、さらに安全性の高い穿刺針カートリッジ、及び穿刺器具セットを提供することを目的とする。
【課題を解決するための手段】
【００１１】
上記課題を解決するために本発明の請求項１に記載の穿刺針カートリッジは、生体の表面を穿刺する穿刺針を複数個内蔵し、連続して穿刺動作可能な穿刺器具に用いるための穿刺針カートリッジであって、前記複数個の穿刺針がその軸方向に直列に連結した状態で保持される構成としたものである。
【００１２】
これにより、穿刺針を穿刺毎にわざわざ個々に装填することもなく、多くの穿刺針を器具内に連結して配備することができる。
【００１３】
また、本発明の請求項２に記載の穿刺針カートリッジは、請求項１に記載の穿刺針カートリッジにおいて、前記穿刺針は、その先端が他の穿刺針の一部分によって保護された状態で直列に連結される構成をもつものである。
【００１４】
これにより、使用済みの針を取り外したり、廃棄したりするときに、次の針で怪我をすることを防ぐことができ、複数の穿刺針を衛生的に使用できる。
【００１５】
また、本発明の請求項３に記載の穿刺針カートリッジは、請求項１または２に記載の穿刺針カートリッジにおいて、前記穿刺針は、弾性変形部材が一体的に設けられたものであり、前記複数個の穿刺針は、互いの穿刺針が前記弾性変形部材により連結されたものである。
【００１６】
これにより、穿刺針の送り機構を設けることなく、引っ張り動作のみで順送できる。
【００１７】
また、本発明の請求項４に記載の穿刺針カートリッジは、請求項１ないし３のいずれかに記載の穿刺針カートリッジにおいて、当該穿刺針カートリッジ内における前記穿刺針の逆戻りを防ぐ穿刺針係止部材を備えたものである。
【００１８】
これにより、確実に穿刺動作を行うことができる。
【００１９】
また、本発明の請求項５に記載の穿刺針カートリッジは、請求項４に記載の穿刺針カートリッジにおいて、前記穿刺針係止部材は、当該穿刺針カートリッジ内部の一定の間隔毎に設けられたものである。
【００２０】
これにより、同じ穿刺針を複数個、長手方向に同じピッチで配列して、装填ができる。
【００２１】
また、本発明の請求項６に記載の穿刺針カートリッジは、請求項４または５に記載の穿刺針カートリッジにおいて、前記複数の穿刺針の連結力を、直列配列された構成が可能な状態で、かつ前記穿刺針係止部材の抵抗力より大きくなるように設定したものである。
【００２２】
これにより、穿刺を終えた穿刺針を引っ張ることにより、次の位置に控えた穿刺針を、穿刺位置まで直接的に送出する動作を無理なく確実に行える。
【００２３】
また、本発明の請求項７に記載の穿刺針カートリッジは、請求項１ないし６のいずれかに記載の穿刺針カートリッジにおいて、弾性部材からなり、当該穿刺針カートリッジ内の先頭に位置する穿刺針を把持し、該穿刺針の穿刺器具本体からの抜け出し、及び脱落を防ぐ弾性係止部材を備えたものである。
【００２４】
これにより、安全に確実に穿刺動作を行うことができる。
【００２５】
また、本発明の請求項８に記載の穿刺針カートリッジは、請求項１ないし７のいずれかに記載の穿刺針カートリッジにおいて、前記穿刺針は、前記穿刺針係止部材、及び前記弾性係止部材によって係止するための窪み部を表面に有する形状としたものである。
【００２６】
これにより、穿刺針が当該穿刺針カートリッジ内の所定の位置に、確実に位置決めされ、保持される。
【００２７】
また、本発明の請求項９に記載の穿刺針カートリッジは、請求項１ないし８のいずれかに記載の穿刺針カートリッジにおいて、前記直列に連結した複数の穿刺針の先頭に、該穿刺針の針部分を保護する穿刺針キャップを設けたものである。
【００２８】
これにより、使用開始時の穿刺針または当該穿刺針カートリッジの装填時には、安全に穿刺器具本体へ装填することができる。
【００２９】
また、本発明の請求項１０に記載の穿刺針カートリッジは、請求項１ないし９のいずれかに記載の穿刺針カートリッジにおいて、前記穿刺器具の筐体と係合し、軸廻りに対して回転しないようにするための回転止め部材を備えたものである。
【００３０】
これにより、穿刺器具に用いた場合、確実に穿刺のためのチャージを行うことができ、それ自身の駆動軸方向の動きだけで穿刺動作が容易に実現できる。
【００３１】
また、本発明の請求項１１に記載の穿刺針カートリッジは、請求項１ないし１０のいずれかに記載の穿刺針カートリッジにおいて、当該穿刺針カートリッジ内における複数の穿刺針の残量を確認可能とする残量確認手段を備えたものである。、
【００３２】
これにより、穿刺針の使用本数、或いは残量等が即座に確認できる。
【００３３】
また、本発明の請求項１２に記載の穿刺針カートリッジは、請求項１１に記載の穿刺針カートリッジにおいて、前記残量確認手段は、前記複数の穿刺針の個々の色を変えたものである。
【００３４】
これにより、穿刺針の使い始めからの順番や残量の判別を即座に行うことができる。
【００３５】
また、本発明の請求項１３に記載の穿刺針カートリッジは、請求項１１に記載の穿刺針カートリッジにおいて、前記残量確認手段は、前記複数の穿刺針の個々に番号（密番）を付したものである。
【００３６】
これにより、穿刺針の使い始めからの順番や残量の判別を即座に行うことができる。
【００３７】
また、本発明の請求項１４に記載の穿刺針カートリッジは、請求項１ないし１３のいずれかに記載の穿刺針カートリッジにおいて、前記穿刺針を新たに配列する際、前記直列に連結した複数個の穿刺針を当該穿刺針カートリッジに装填するものである。
【００３８】
これにより、当該穿刺針カートリッジを穿刺器具に一体的に内蔵して使用することができる。
【００３９】
また、本発明の請求項１５に記載の穿刺針カートリッジは、請求項１４に記載の穿刺針カートリッジにおいて、前記直列に連結した複数個の穿刺針を該穿刺器具本体に一方向から装填可能としたものである。
【００４０】
これにより、穿刺針を安全に追加補充することができる。
【００４１】
また、本発明の請求項１６に記載の穿刺針カートリッジは、請求項１５に記載の穿刺針カートリッジにおいて、弾性的に変位可能で、前記直列に連結した複数個の穿刺針の装填時の誤装填を防ぐ誤装填防止返し部材を備えたものである。
【００４２】
これにより、連結された複数の穿刺針の誤装填を防ぐことができ、安全性の高い穿刺針カートリッジを提供することができる。
【００４３】
また、本発明の請求項１７に記載の穿刺針カートリッジは、請求項１ないし１６のいずれかに記載の穿刺針カートリッジにおいて、当該穿刺針カートリッジを前記穿刺器具に着脱可能な構成としたものである。
【００４４】
これにより、穿刺針カートリッジのまま交換でき、穿刺針の装填を一度に確実に行うことができる。
【００４５】
また、本発明の請求項１８に記載の穿刺器具セットは、生体の表面を穿刺する穿刺針を複数個内蔵し、連続して穿刺動作可能な穿刺器具セットであって、円筒状の筐体と、軸方向に直列に連結した状態で保持される複数個の穿刺針を内蔵し、前記筐体内部に該複数個の穿刺針を直列的に配列するための穿刺針カートリッジと、前記穿刺針カートリッジを、その軸方向の所定位置で係止させるための係止部材と、前記穿刺針カートリッジを一方向へ付勢する弾性付勢部材とを有する穿刺器具と、前記穿刺針の穿刺後に、引き続く穿刺動作に入るために、前記穿刺針カートリッジの穿刺位置のセットと、使用済みの前記穿刺針の廃棄とを可能とする穿刺針交換ジグとからなるものである。
【００４６】
これにより、簡単な操作で穿刺動作を連続的に行うことができ、さらに安全性の高い穿刺器具を提供することができる。
【００４７】
また、本発明の請求項１９に記載の穿刺器具セットは、請求項１８に記載の穿刺器具セットにおいて、前記穿刺針交換ジグは、穿刺後の穿刺針を把持し係止して、前記穿刺器具本体から該穿刺針を抜き取る返し部材を備えたものである。
【００４８】
これにより、穿刺を終えた穿刺針を確実に把持して確実に廃棄することができ、また、次に控えた穿刺針を所定の穿刺位置まで順送することができる。
【００４９】
また、本発明の請求項２０に記載の穿刺器具セットは、請求項１８または１９に記載の穿刺器具セットにおいて、前記穿刺針交換ジグは、前記穿刺針の抜き取り動作と同時に、前記穿刺針を内蔵する穿刺針カートリッジを、穿刺を準備する位置にチャージするものである。
【００５０】
これにより、特に意識をしなくとも、目の不自由な方やお年寄りでも容易に穿刺針の抜き取りや、次回の穿刺の準備を行うことができる。
【００５１】
また、本発明の請求項２１に記載の穿刺器具セットは、請求項１８ないし２０のいずれかに記載の穿刺器具セットにおいて、前記複数個の穿刺針は、その先端が他の穿刺針の一部分によって保護された状態で直列に連結されたものである。
【００５２】
これにより、使用済みの針を取り外したり、廃棄したりするときに、次の針で怪我をすることを防ぐことができ、複数の穿刺針を衛生的に使用できる。
【００５３】
また、本発明の請求項２２に記載の穿刺器具セットは、請求項１８ないし２１のいずれかに記載の穿刺器具セットにおいて、前記穿刺針は、弾性変形部材が一体的に設けられたものであり、前記複数個の穿刺針は、互いの穿刺針が前記弾性変形部材により連結されたものである。
【００５４】
これにより、穿刺針の送り機構を設けることなく、引っ張り動作のみで順送できる。
【００５５】
また、本発明の請求項２３に記載の穿刺器具セットは、請求項１８ないし２２のいずれかに記載の穿刺器具セットにおいて、前記穿刺針カートリッジ内における前記穿刺針の逆戻りを防ぐ穿刺針係止部材を備えたものである。
【００５６】
これにより、確実に穿刺動作を行うことができる。
【００５７】
また、本発明の請求項２４に記載の穿刺器具セットは、請求項２３に記載の穿刺器具セットにおいて、前記穿刺針係止部材は、前記穿刺針カートリッジに一体に備えたものである。
【００５８】
これにより、穿刺針の逆戻りを防ぐことのできる穿刺器具を容易に構成できる。
【００５９】
また、本発明の請求項２５に記載の穿刺器具セットは、請求項２３または２４に記載の穿刺器具セットにおいて、前記穿刺針係止部材は、前記穿刺針カートリッジ内部の一定の間隔毎に設けられたものである。
【００６０】
これにより、同じ穿刺針を複数個、長手方向に同じピッチで配列して、装填ができる。
【００６１】
また、本発明の請求項２６に記載の穿刺器具セットは、請求項２３ないし２５のいずれかに記載の穿刺器具セットにおいて、前記複数の穿刺針の連結力を、直列配列された構成が可能な状態で、かつ前記穿刺針係止部材の抵抗力より大きくなるように設定したものである。
【００６２】
これにより、穿刺を終えた穿刺針を引っ張ることにより、次の位置に控えた穿刺針を、穿刺位置まで直接的に送出する動作を無理なく確実に行える。
【００６３】
また、本発明の請求項２７に記載の穿刺器具セットは、請求項１８ないし２６のいずれかに記載の穿刺器具セットにおいて、穿刺針の廃棄動作時に、前記穿刺針カートリッジ内に直列的に配列した複数の穿刺針が前方へ繰り出すときの移動距離が、穿刺針の長さに等しくなるような構成としたものである。
【００６４】
これにより、新しい穿刺針を確実に所定の位置に保持することができる。
【００６５】
また、本発明の請求項２８に記載の穿刺器具セットは、請求項２７に記載の穿刺器具セットおいて、前記繰り出しの移動距離が、前記穿刺針係止部材により決まる構成としたものである。
【００６６】
これにより、穿刺針係止部材で穿刺針を係止し、確実に穿刺針を所定の位置に保持することができる。
【００６７】
また、本発明の請求項２９に記載の穿刺器具セットは、請求項１８ないし２８のいずれかに記載の穿刺器具セットにおいて、弾性部材からなり、前記穿刺針カートリッジ内の先頭に位置する穿刺針を把持し、該穿刺針の穿刺器具本体からの抜け出し、及び脱落を防ぐ弾性係止部材を備えたものである。
【００６８】
これにより、安全に確実に穿刺動作を行うことができる。
【００６９】
また、本発明の請求項３０に記載の穿刺器具セットは、請求項２９に記載の穿刺器具セットにおいて、前記弾性係止部材は、前記穿刺針カートリッジに一体に備えたものである。
【００７０】
これにより、穿刺針の抜け出し、及び脱落を防ぐことができる穿刺器具を容易に構成することができる。
【００７１】
また、本発明の請求項３１に記載の穿刺器具セットは、請求項２９または３０に記載の穿刺器具セットにおいて、前記弾性係止部材は、前記穿刺針交換ジグの先端部との嵌合動作により、廃棄動作時に弾性範囲内の変形量で、穿刺を終えた穿刺針の把持が解除される構成としたものである。
【００７２】
これにより、使用済みの穿刺針の把持を容易に解除でき、確実に次の穿刺動作に備えることができる。
【００７３】
また、本発明の請求項３２に記載の穿刺器具セットは、請求項１８ないし３１のいずれかに記載の穿刺器具セットにおいて、前記穿刺針は、前記穿刺針係止部材、及び前記弾性係止部材によって係止するための窪み部を表面に有する形状としたものである。
【００７４】
これにより、穿刺針が穿刺針カートリッジ内の所定の位置に、確実に位置決めされ、保持される。
【００７５】
また、本発明の請求項３３に記載の穿刺器具セットは、請求項１８ないし３２のいずれかに記載の穿刺器具セットにおいて、前記直列に連結した複数の穿刺針の先頭に、該穿刺針の針部分を保護する穿刺針キャップを設けたものである。
【００７６】
これにより、使用開始時の穿刺針または穿刺針カートリッジの装填時には、安全に穿刺器具本体へ装填することができる。
【００７７】
また、本発明の請求項３４に記載の穿刺器具セットは、請求項１８ないし３３のいずれかに記載の穿刺器具セットにおいて、前記穿刺針カートリッジと前記穿刺器具の筐体とは、それぞれが係合することによって、お互いの軸廻りに対して相対的に回転しないようにする回転止め部材を有しており、前記穿刺針カートリッジが軸方向のみ摺動可能に構成されているものである。
【００７８】
これにより、穿刺針カートリッジが確実に穿刺のためのチャージを行うことができ、それ自身の駆動軸方向の動きだけで穿刺動作が容易に実現できる。
【００７９】
また、本発明の請求項３５に記載の穿刺器具セットは、請求項１９ないし３５のいずれかに記載の穿刺器具セットにおいて、前記穿刺器具は、前記穿刺針カートリッジの移動距離を規制（して穿刺深さを調節）するための距離規制部材を備えたものである。
【００８０】
これにより、長さの異なる穿刺針においても穿刺深さを変えることができる。
【００８１】
また、本発明の請求項３６に記載の穿刺器具セットは、請求項１８ないし３５のいずれかに記載の穿刺器具セットにおいて、前記穿刺針カートリッジ内における複数の穿刺針の残量を確認可能とする残量確認手段を備えたものである。
【００８２】
これにより、穿刺針の使用本数、或いは残量等が即座に確認できる。
【００８３】
また、本発明の請求項３７に記載の穿刺器具セットは、請求項３６に記載の穿刺器具セットにおいて、前記残量確認手段は、前記穿刺針の個々の色を変えることで残量確認を行うものである。
【００８４】
これにより、穿刺針の使い始めからの順番や残量の判別を即座に行うことができる。
【００８５】
また、本発明の請求項３８に記載の穿刺器具セットは、請求項３６に記載の穿刺器具セットにおいて、前記残量確認手段は、前記穿刺器具本体に確認窓を設けることで残量確認を行うものである。
【００８６】
これにより、確認窓を覗くことによって、穿刺針の残量を容易に確認することができる。
【００８７】
また、本発明の請求項３９に記載の穿刺器具セットは、請求項３６に記載の穿刺器具セットにおいて、前記残量確認手段は、前記穿刺針に番号（密番）を付けることで残量確認を行うものである。
【００８８】
これにより、穿刺針の使い始めからの順番や残量の判別を即座に行うことができる。
【００８９】
また、本発明の請求項４０に記載の穿刺器具セットは、請求項１８ないし３９のいずれかに記載の穿刺器具セットにおいて、前記穿刺針を前記穿刺器具に新たに配列する際、前記直列的に配列した複数個の穿刺針を前記穿刺器具本体に装填するものである。
【００９０】
これにより、穿刺針カートリッジを穿刺器具に一体的に内蔵して使用することができる。
【００９１】
また、本発明の請求項４１に記載の穿刺器具セットは、請求項４０に記載の穿刺器具セットにおいて、前記直列的に配列した複数個の穿刺針を該穿刺器具本体に一方向から装填可能としたものである。
【００９２】
これにより、穿刺針を安全に追加補充することができる。
【００９３】
また、本発明の請求項４２に記載の穿刺器具セットは、請求項４１に記載の穿刺器具セットにおいて、弾性的に変位可能で、前記直列に連結した複数個の穿刺針の装填時の誤装填を防ぐ誤装填防止返し部材を備えたものである。
【００９４】
これにより、連結された複数の穿刺針の誤装填を防ぐことができ、安全性の高い穿刺針カートリッジを提供することができる。
【００９５】
また、本発明の請求項４３に記載の穿刺器具セットは、請求項１８ないし４２に記載の穿刺器具セットにおいて、前記穿刺針カートリッジを当該穿刺器具に着脱可能としたものである。
【００９６】
これにより、穿刺針カートリッジのまま交換でき、穿刺針の装填を一度に確実に行うことができる。
【発明の効果】
【００９７】
本発明によれば、簡単な構成、簡単な操作で、血糖値測定時の採血操作を連続的に容易に行うことができる。
【００９８】
特に、従来は血糖値測定のたびに穿刺針を穿刺器具に装着し、測定が終了した後、穿刺針の先端にキャップをして廃棄していたが、この操作が不要となり、針先を覆ったりすることもなく、安全性が高い。
【００９９】
即ち、本発明の請求項１に係る穿刺針カートリッジによれば、生体の表面を穿刺する穿刺針を複数個内蔵し、連続して穿刺動作可能な穿刺器具に用いるための穿刺針カートリッジであって、前記複数個の穿刺針がその軸方向に直列に連結した状態で保持される構成としたので、穿刺針を穿刺毎にわざわざ個々に装填することもなく、多くの穿刺針を器具内に連結して配備することができる効果がある。
【０１００】
また、本発明の請求項２に係る穿刺針カートリッジによれば、請求項１に記載の穿刺針カートリッジにおいて、前記穿刺針は、その先端が他の穿刺針の一部分によって保護された状態で直列に連結される構成をもつものであるので、使用済みの針を取り外したり、廃棄したりするときに、次の針で怪我をすることを防ぐことができ、複数の穿刺針を衛生的に使用できる効果がある。
【０１０１】
また、本発明の請求項３に係る穿刺針カートリッジによれば、請求項１または２に記載の穿刺針カートリッジにおいて、前記穿刺針は、弾性変形部材が一体的に設けられたものであり、前記複数個の穿刺針は、互いの穿刺針が前記弾性変形部材により連結されたものであるので、穿刺針の送り機構を設けることなく、引っ張り動作のみで順送できる効果がある。
【０１０２】
また、本発明の請求項４に係る穿刺針カートリッジによれば、請求項１ないし３のいずれかに記載の穿刺針カートリッジにおいて、当該穿刺針カートリッジ内における前記穿刺針の逆戻りを防ぐ穿刺針係止部材を備えたので、確実に穿刺動作を行うことができる効果がある。
【０１０３】
また、本発明の請求項５に係る穿刺針カートリッジによれば、請求項４に記載の穿刺針カートリッジにおいて、前記穿刺針係止部材は、当該穿刺針カートリッジ内部の一定の間隔毎に設けられたので、同じ穿刺針を複数個、長手方向に同じピッチで配列して、装填ができる効果がある。
【０１０４】
また、本発明の請求項６に係る穿刺針カートリッジによれば、請求項４または５に記載の穿刺針カートリッジにおいて、前記複数の穿刺針の連結力を、直列配列された構成が可能な状態で、かつ前記穿刺針係止部材の抵抗力より大きくなるように設定したので、穿刺を終えた穿刺針を引っ張ることにより、次の位置に控えた穿刺針を、穿刺位置まで直接的に送出する動作を無理なく確実に行うことができる効果がある。
【０１０５】
また、本発明の請求項７に係る穿刺針カートリッジによれば、請求項１ないし６のいずれかに記載の穿刺針カートリッジにおいて、弾性部材からなり、当該穿刺針カートリッジ内の先頭に位置する穿刺針を把持し、該穿刺針の穿刺器具本体からの抜け出し、及び脱落を防ぐ弾性係止部材を備えたので、安全に確実に穿刺動作を行うことができる効果がある。
【０１０６】
また、本発明の請求項８に係る穿刺針カートリッジによれば、請求項１ないし７のいずれかに記載の穿刺針カートリッジにおいて、前記穿刺針は、前記穿刺針係止部材、及び前記弾性係止部材によって係止するための窪み部を表面に有する形状としたので、穿刺針が当該穿刺針カートリッジ内の所定の位置に、確実に位置決めされ、保持できる効果がある。
【０１０７】
また、本発明の請求項９に係る穿刺針カートリッジによれば、請求項１ないし８のいずれかに記載の穿刺針カートリッジにおいて、前記直列に連結した複数の穿刺針の先頭に、該穿刺針の針部分を保護する穿刺針キャップを設けたので、使用開始時の穿刺針または当該穿刺針カートリッジの装填時には、安全に穿刺器具本体へ装填することができる効果がある。
【０１０８】
また、本発明の請求項１０に係る穿刺針カートリッジによれば、請求項１ないし９のいずれかに記載の穿刺針カートリッジにおいて、前記穿刺器具の筐体と係合し、軸廻りに対して回転しないようにするための回転止め部材を備えたので、穿刺器具に用いた場合、確実に穿刺のためのチャージを行うことができ、それ自身の駆動軸方向の動きだけで穿刺動作が容易に実現できる効果がある。
【０１０９】
また、本発明の請求項１１に係る穿刺針カートリッジによれば、請求項１ないし１０のいずれかに記載の穿刺針カートリッジにおいて、当該穿刺針カートリッジ内における複数の穿刺針の残量を確認可能とする残量確認手段を備えたので、穿刺針の使用本数、或いは残量等が即座に確認できる効果がある。
【０１１０】
また、本発明の請求項１２に係る穿刺針カートリッジによれば、請求項１１に記載の穿刺針カートリッジにおいて、前記残量確認手段は、前記複数の穿刺針の個々の色を変えたものであるので、穿刺針の使い始めからの順番や残量の判別を即座に行うことができる効果がある。
【０１１１】
また、本発明の請求項１３に係る穿刺針カートリッジによれば、請求項１１に記載の穿刺針カートリッジにおいて、前記残量確認手段は、前記複数の穿刺針の個々に番号（密番）を付したものであるので、穿刺針の使い始めからの順番や残量の判別を即座に行うことができる効果がある。
【０１１２】
また、本発明の請求項１４に係る穿刺針カートリッジによれば、請求項１ないし１３のいずれかに記載の穿刺針カートリッジにおいて、前記穿刺針を新たに配列する際、前記直列に連結した複数個の穿刺針を当該穿刺針カートリッジに装填するので、当該穿刺針カートリッジを穿刺器具に一体的に内蔵して使用することができる効果がある。
【０１１３】
また、本発明の請求項１５に係る穿刺針カートリッジによれば、請求項１４に記載の穿刺針カートリッジにおいて、前記直列に連結した複数個の穿刺針を該穿刺器具本体に一方向から装填可能としたので、穿刺針を安全に追加補充することができる効果がある。
【０１１４】
また、本発明の請求項１６に係る穿刺針カートリッジによれば、請求項１５に記載の穿刺針カートリッジにおいて、弾性的に変位可能で、前記直列に連結した複数個の穿刺針の装填時の誤装填を防ぐ誤装填防止返し部材を備えたので、連結された複数の穿刺針の誤装填を防ぐことができ、安全性の高い穿刺針カートリッジを提供することができる効果がある。
【０１１５】
また、本発明の請求項１７に係る穿刺針カートリッジによれば、請求項１ないし１６のいずれかに記載の穿刺針カートリッジにおいて、当該穿刺針カートリッジを前記穿刺器具に着脱可能な構成としたので、穿刺針カートリッジのまま交換でき、穿刺針の装填を一度に確実に行うことができる効果がある。
【０１１６】
また、本発明の請求項１８に係る穿刺器具セットによれば、生体の表面を穿刺する穿刺針を複数個内蔵し、連続して穿刺動作可能な穿刺器具セットであって、円筒状の筐体と、軸方向に直列に連結した状態で保持される複数個の穿刺針を内蔵し、前記筐体内部に該複数個の穿刺針を直列的に配列するための穿刺針カートリッジと、前記穿刺針カートリッジを、その軸方向の所定位置で係止させるための係止部材と、前記穿刺針カートリッジを一方向へ付勢する弾性付勢部材とを有する穿刺器具と、前記穿刺針の穿刺後に、引き続く穿刺動作に入るために、前記穿刺針カートリッジの穿刺位置のセットと、使用済みの前記穿刺針の廃棄とを可能とする穿刺針交換ジグとからなるので、簡単な操作で穿刺動作を連続的に行うことができ、さらに安全性の高い穿刺器具を提供することができる効果がある。
【０１１７】
また、本発明の請求項１９に係る穿刺器具セットによれば、請求項１８に記載の穿刺器具セットにおいて、前記穿刺針交換ジグは、穿刺後の穿刺針を把持し係止して、前記穿刺器具本体から該穿刺針を抜き取る返し部材を備えたので、穿刺を終えた穿刺針を確実に把持して確実に廃棄することができ、また、次に控えた穿刺針を所定の穿刺位置まで順送することができる効果がある。
【０１１８】
また、本発明の請求項２０に係る穿刺器具セットによれば、請求項１８または１９に記載の穿刺器具セットにおいて、前記穿刺針交換ジグは、前記穿刺針の抜き取り動作と同時に、前記穿刺針を内蔵する穿刺針カートリッジを、穿刺を準備する位置にチャージするので、特に意識をしなくとも、目の不自由な方やお年寄りでも容易に穿刺針の抜き取りや、次回の穿刺の準備を行うことができる効果がある。
【０１１９】
また、本発明の請求項２１に係る穿刺器具セットによれば、請求項１８ないし２０のいずれかに記載の穿刺器具セットにおいて、前記複数個の穿刺針は、その先端が他の穿刺針の一部分によって保護された状態で直列に連結されたものであるので、使用済みの針を取り外したり、廃棄したりするときに、次の針で怪我をすることを防ぐことができ、複数の穿刺針を衛生的に使用できる効果がある。
【０１２０】
また、本発明の請求項２２に係る穿刺器具セットによれば、請求項１８ないし２１のいずれかに記載の穿刺器具セットにおいて、前記穿刺針は、弾性変形部材が一体的に設けられたものであり、前記複数個の穿刺針は、互いの穿刺針が前記弾性変形部材により連結されたものであるので、穿刺針の送り機構を設けることなく、引っ張り動作のみで順送できる効果がある。
【０１２１】
また、本発明の請求項２３に係る穿刺器具セットによれば、請求項１８ないし２２のいずれかに記載の穿刺器具セットにおいて、前記穿刺針カートリッジ内における前記穿刺針の逆戻りを防ぐ穿刺針係止部材を備えたので、確実に穿刺動作を行うことができる効果がある。
【０１２２】
また、本発明の請求項２４に係る穿刺器具セットによれば、請求項２３に記載の穿刺器具セットにおいて、前記穿刺針係止部材は、前記穿刺針カートリッジに一体に備えたものであるので、穿刺針の逆戻りを防ぐことのできる穿刺器具を容易に構成できる効果がある。
【０１２３】
また、本発明の請求項２５に係る穿刺器具セットによれば、請求項２３または２４に記載の穿刺器具セットにおいて、前記穿刺針係止部材は、前記穿刺針カートリッジ内部の一定の間隔毎に設けられたものであるので、同じ穿刺針を複数個、長手方向に同じピッチで配列して、装填ができる効果がある。
【０１２４】
また、本発明の請求項２６に係る穿刺器具セットによれば、請求項２３ないし２５のいずれかに記載の穿刺器具セットにおいて、前記複数の穿刺針の連結力を、直列配列された構成が可能な状態で、かつ前記穿刺針係止部材の抵抗力より大きくなるように設定したので、穿刺を終えた穿刺針を引っ張ることにより、次の位置に控えた穿刺針を穿刺位置まで直接的に送出する動作を無理なく確実に行うことができる。
【０１２５】
また、本発明の請求項２７に係る穿刺器具セットによれば、請求項１８ないし２６のいずれかに記載の穿刺器具セットにおいて、穿刺針の廃棄動作時に、前記穿刺針カートリッジ内に直列的に配列した複数の穿刺針が前方へ繰り出すときの移動距離が、穿刺針の長さに等しくなるような構成としたので、新しい穿刺針を確実に所定の位置に保持することができる効果がある。
【０１２６】
また、本発明の請求項２８に係る穿刺器具セットによれば、請求項２７に記載の穿刺器具セットおいて、前記繰り出しの移動距離が、前記穿刺針係止部材により決まる構成としたので、穿刺針係止部材で穿刺針を係止し、確実に穿刺針を所定の位置に保持することができる効果がある。
【０１２７】
また、本発明の請求項２９に係る穿刺器具セットによれば、請求項１８ないし２８のいずれかに記載の穿刺器具セットにおいて、弾性部材からなり、前記穿刺針カートリッジ内の先頭に位置する穿刺針を把持し、該穿刺針の穿刺器具本体からの抜け出し、及び脱落を防ぐ弾性係止部材を備えたので、安全に確実に穿刺動作を行うことができる効果がある。
【０１２８】
また、本発明の請求項３０に係る穿刺器具セットによれば、請求項２９に記載の穿刺器具セットにおいて、前記弾性係止部材は、前記穿刺針カートリッジに一体に備えたので、穿刺針の抜け出し、及び脱落を防ぐことができる穿刺器具を容易に構成することができる効果がある。
【０１２９】
また、本発明の請求項３１に係る穿刺器具セットによれば、請求項２９または３０に記載の穿刺器具セットにおいて、前記弾性係止部材は、前記穿刺針交換ジグの先端部との嵌合動作により、廃棄動作時に弾性範囲内の変形量で、穿刺を終えた穿刺針の把持が解除される構成としたものであるので、使用済みの穿刺針の把持を容易に解除でき、確実に次の穿刺動作に備えることができる効果がある。
【０１３０】
また、本発明の請求項３２に係る穿刺器具セットによれば、請求項１８ないし３１のいずれかに記載の穿刺器具セットにおいて、前記穿刺針は、前記穿刺針係止部材、及び前記弾性係止部材によって係止するための窪み部を表面に有する形状としたので、穿刺針が穿刺針カートリッジ内の所定の位置に、確実に位置決めされ、保持できる効果がある。
【０１３１】
また、本発明の請求項３３に係る穿刺器具セットによれば、請求項１８ないし３２のいずれかに記載の穿刺器具セットにおいて、前記直列に連結した複数の穿刺針の先頭に、該穿刺針の針部分を保護する穿刺針キャップを設けたので、使用開始時の穿刺針または穿刺針カートリッジの装填時には、安全に穿刺器具本体へ装填することができる効果がある。
【０１３２】
また、本発明の請求項３４に係る穿刺器具セットによれば、請求項１８ないし３３のいずれかに記載の穿刺器具セットにおいて、前記穿刺針カートリッジと前記穿刺器具の筐体とは、それぞれが係合することによって、お互いの軸廻りに対して相対的に回転しないようにする回転止め部材を有しており、前記穿刺針カートリッジが軸方向のみ摺動可能に構成されているので、穿刺針カートリッジが確実に穿刺のためのチャージを行うことができ、それ自身の駆動軸方向の動きだけで穿刺動作が容易に実現できる効果がある。
【０１３３】
また、本発明の請求項３５に係る穿刺器具セットによれば、請求項１８ないし３４のいずれかに記載の穿刺器具セットにおいて、前記穿刺器具は、前記穿刺針カートリッジの移動距離を規制（して穿刺深さを調節）するための距離規制部材を備えたので、長さの異なる穿刺針においても穿刺深さを変えることができる効果がある。
【０１３４】
また、本発明の請求項３６に係る穿刺器具セットによれば、請求項１８ないし３５のいずれかに記載の穿刺器具セットにおいて、前記穿刺針カートリッジ内における複数の穿刺針の残量を確認可能とする残量確認手段を備えたので、穿刺針の使用本数、或いは残量等が即座に確認できる効果がある。
【０１３５】
また、本発明の請求項３７に係る穿刺器具セットによれば、請求項３６に記載の穿刺器具セットにおいて、前記残量確認手段は、前記穿刺針の個々の色を変えることで残量確認を行うものであるので、穿刺針の使い始めからの順番や残量の判別を即座に行うことができる効果がある。
【０１３６】
また、本発明の請求項３８に係る穿刺器具セットによれば、請求項３６に記載の穿刺器具セットにおいて、前記残量確認手段は、前記穿刺器具本体に確認窓を設けることで残量確認を行うものであるので、確認窓を覗くことによって、穿刺針の残量を容易に確認することができる効果がある。
【０１３７】
また、本発明の請求項３９に係る穿刺器具セットによれば、請求項３６に記載の穿刺器具セットにおいて、前記残量確認手段は、前記穿刺針に番号（密番）を付けることで残量確認を行うものであるので、穿刺針の使い始めからの順番や残量の判別を即座に行うことができる効果がある。
【０１３８】
また、本発明の請求項４０に係る穿刺器具セットによれば、請求項１８ないし３９のいずれかに記載の穿刺器具セットにおいて、前記穿刺針を前記穿刺器具に新たに配列する際、前記直列に連結した複数個の穿刺針を前記穿刺器具本体に装填するので、穿刺針カートリッジを穿刺器具に一体的に内蔵して使用することができる効果がある。
【０１３９】
また、本発明の請求項４１に係る穿刺器具セットによれば、請求項４０に記載の穿刺器具セットにおいて、前記直列に連結した複数個の穿刺針を該穿刺器具本体に一方向から装填可能としたので、穿刺針を安全に追加補充することができる効果がある。
【０１４０】
また、本発明の請求項４２に係る穿刺器具セットによれば、請求項４１に記載の穿刺器具セットにおいて、弾性的に変位可能で、前記直列に連結した複数個の穿刺針の装填時の誤装填を防ぐ誤装填防止返し部材を備えたので、連結された複数の穿刺針の誤装填を防ぐことができ、安全性の高い穿刺針カートリッジを提供することができる効果がある。
【０１４１】
また、本発明の請求項４３に係る穿刺器具セットによれば、請求項１８ないし４２のいずれかに記載の穿刺器具セットにおいて、前記穿刺針カートリッジを当該穿刺器具に着脱可能としたので、穿刺針カートリッジのまま交換でき、穿刺針の装填を一度に確実に行うことができる効果がある。
【発明を実施するための最良の形態】
【０１４２】
以下、本発明の実施の形態を、図面を参照しながら説明する。
（実施の形態１）
図１は、本発明の実施の形態１に係る穿刺器具セットの外観図である。
【０１４３】
図において、１００は本発明の実施の形態１における穿刺器具セットであり、１０１は穿刺器具、１０２は穿刺動作を行うための穿刺ボタン、１０３は穿刺器具１０１の先端の穿刺部、１０４は穿刺針の残り数が確認できる残量確認窓、１０５は本体後端キャップ、１０６は穿刺深さを調節する穿刺深さ調節部、１０７は穿刺位置のセット、及び穿刺動作終了後に穿刺針の廃棄を行うための穿刺針交換ジグである。
【０１４４】
また、穿刺器具１０１の内部には、複数個の穿刺針が、その軸方向に直列に連結した状態で保持される構成の穿刺針カートリッジが設けられている。
【０１４５】
次に、図２、図３を用いて穿刺針カートリッジ、及びカートリッジに装填される穿刺針について説明する。
図２は、穿刺器具１０１内に設けられた穿刺針カートリッジの断面図である。
【０１４６】
図において、２００は穿刺器具１０１内に設けられた穿刺針カートリッジ、２０１は穿刺針カートリッジ２００内に所定の個数だけ装填された穿刺針、２０２は複数の穿刺針を穿刺針カートリッジ内で保持する穿刺針係止部材、２０３は穿刺針先端部、２０４は樹脂の射出成形時などに形成した穿刺針の窪み部、２０５は穿刺針２０１の脱落を防止するための穿刺針抜け止め弾性部材、２０６は穿刺器具１０１の穿刺ボタン１０２の一端と係合するセット爪係合部、２０７は穿刺針カートリッジ２００が穿刺器具１０１の筐体内でその円周方向に回転しないように該筐体と係合させるためのカートリッジ回転止め、２０８は弾性的に変位可能で穿刺針の誤装填を防ぐための誤装填防止返し部材である。
【０１４７】
また、穿刺針係止部材２０２は、板バネなどの弾性部材からなり、穿刺針２０１の長さに概略的に等しい距離で一定の間隔で設けられており、この穿刺針係止部材２０２の先端部が若干、穿刺針カートリッジ２００の中心軸側に折り曲げられた状態で配置されているため、それぞれの穿刺針係止部材２０２の先端部が、穿刺針２０１の窪み部２０４に落ち込む事により、穿刺針２０１が穿刺針カートリッジ２００内に保持される。
【０１４８】
図３は、穿刺針カートリッジに装填される所定の個数の穿刺針を連結した状態を示す図である。
図３（ａ）に示すように、複数個の穿刺針２０１が連結されており、この連結された穿刺針２０１の群の装填方向の先端には、使用開始時の穿刺針の装填時に、安全に穿刺器具本体へ針を装填するために、穿刺針をもたない穿刺針先頭キャップ３０１が設けられている。また、穿刺針２０１を逆方向に入れることがないようにするため、穿刺針キャップの先端部には誤装填防止先端部３０２が設けられており、穿刺針先頭キャップ３０１側から装填操作を行う場合のみ、誤装填防止先端部３０２が、穿刺針カートリッジ２００の入り口部に設けられた誤装填防止返し部材２０８を押し広げながら穿刺針カートリッジ内へ装填することが可能になる。
【０１４９】
また、穿刺針２０１は、図３（ｂ）に示すように、射出成形などの手段により形成した弾性変形部３０４と一体的に形成され、穿刺針後端部３０５と連結させることにより、穿刺針先端部２０３を概ね清潔に保つことができ、複数の穿刺針を連続的に結合して一体化させることができる。
【０１５０】
次に、図４〜図６を用いて、本発明の実施の形態１に係る穿刺器具の使用状態について説明する。
【０１５１】
図４は穿刺針カートリッジ２００が配置された穿刺器具１０１の断面図である。
図において、穿刺針カートリッジ２００が、穿刺器具１０１の後端の内壁に設けられている穿刺針カートリッジストッパ４０２に当たった状態を示している。
【０１５２】
穿刺器具１０１は、穿刺針カートリッジ２００が、穿刺器具１０１内の穿刺針カートリッジ収納室４０１に穿刺針２０１の先端部が穿刺器具１０１の先端の穿刺部１０３側に向けて配置され、発射バネ４０３に付勢した状態で装填されている。
【０１５３】
また、図２に示したように、穿刺針カートリッジ２００の表面には、穿刺針カートリッジ２００が本体ケース１０１の内部でその円周方向に回転しないように、長手方向に回転止め２０７が設けられており、このカートリッジ回転止め２０７と本体ケース１０１の内壁に形成された回転止め受け（図示せず）とが係合している。これにより、穿刺針カートリッジの軸方向のみ摺動可能に構成することができるので、確実に穿刺のためのチャージを行うことができ、穿刺針カートリッジの駆動軸方向の動きだけで穿刺動作が容易に実現できる。
【０１５４】
図５は、穿刺針カートリッジ２００の穿刺位置のセットと、使用済みの穿刺針の廃棄動作とを示す図である。
図において、１０７は、穿刺器具１０１の穿刺部１０３から差し込み、穿刺針カートリッジ２００の穿刺位置セットと使用済みの穿刺針の廃棄動作とを行うための穿刺針交換ジグ、５０２は穿刺針交換ジグ１０７に設けられ、穿刺針カートリッジ内の穿刺針を該穿刺針カートリッジ後端に押し込む交換ジグ押し当て部、５０３は使用済みの穿刺針２０１を把持する交換ジグ返し部材である。
【０１５５】
穿刺針交換ジグ１０７は、図６に示すように、外部と内部と２重の円筒構造をしており、内部の円筒部である交換ジグ押し当て部５０２には、穿刺針カートリッジ２００内に装填している穿刺針２０１を一つずつ把持するための交換ジグ返し部材５０３が設けられている。また、交換ジグ返し部材５０３は、図５に示すように、穿刺器具１０１と穿刺針交換ジグ１０７とが結合した状態において、穿刺針カートリッジ２００の先頭に位置する穿刺針２０１の表面に設けられた窪み部２０４に噛みこむことで、把持動作が完了する。
【０１５６】
次に、本発明の実施の形態１に係る穿刺器具の動作について図５、図６を用いて説明する。
【０１５７】
まず、穿刺針交換ジグ１０７を穿刺器具１０１の先端部１０３から差し込んだとき、図５に示すように、交換ジグ押し当て部５０２を押しこむことにより、穿刺針２０１の直列的に一体になったものが、穿刺針カートリッジ２００全体を、穿刺針係止部材２０２を通じて押すことになる。このように、交換ジグ１０７の装着動作によって、穿刺針カートリッジ２００を穿刺器具１０１の先端部である穿刺部１０３側へ付勢する手段である圧縮バネなどの弾性部材で形成された発射バネ４０３の反力に逆らって、穿刺ボタン１０２の一端に形成されたセット爪部４０４と、穿刺針カートリッジ２００の表面に形成されたセット爪係合部２０６とがセット爪部４０４の先端部を通過して係合することにより、穿刺針カートリッジ２００が、発射バネ４０３の復帰力で再び初期位置に戻ることを許すことなく、セット動作が完了する。
【０１５８】
そして、このようにして一旦セットされた穿刺針カートリッジ２００は、穿刺ボタン１０２を操作することによって、穿刺針カートリッジ２００を係止していたセット爪部４０４とセット爪係合部２０６との係止が解除される。この動作により、穿刺針カートリッジ２００は、発射バネ４０３の復帰力により、その軸線上を直線運動し、穿刺針２０１の先端部が、穿刺針カートリッジ２００内に固定されたまま、穿刺が行われる穿刺器具１０１の先端部の穿刺部１０３まで一気に達する。この動作により、穿刺針２０１はそれを保持する穿刺針抜け止め弾性部材２０５に保持されたまま抜けることなく、穿刺部１０３を通過する。その後、穿刺針２０１は、発射バネ４０３の反力により、概略的に元の穿刺針カートリッジ２００が穿刺セットされていない位置まで戻ることによって、一連の穿刺動作が完了することになる。
【０１５９】
また、穿刺針カートリッジ２００内に固定された穿刺針２０１は、前述のように、交換ジグ１０７によって、穿刺を終えた先頭の穿刺針２０１のみを把持して排出されることで、次の新しい穿刺針２０１が確実に順送される。このような穿刺針２０１の順送動作時には、穿刺針抜け止め弾性部材２０５の先端部は、図５に示したように、交換ジグ押し当て部５０２の先端が、穿刺針２０１と穿刺針抜け止め弾性部材２０５との間に潜りこむことによって、穿刺針２０１との係合状態が解除され、それと同時に、交換ジグ１０７側に設けられた交換ジグ返し部材５０３の先端部が、穿刺針２０１の表面にある窪み部２０４を把持する。この後、交換ジグ１０７を抜き取る動作を行うと、穿刺針２０１は穿刺針カートリッジ２００内から抜き取られる。
【０１６０】
このようにして、それ自身のもつ弾性特性によって直列的に結合されている穿刺針２０１の一群は、穿刺針カートリッジ２００内で一体的に滑りながら動こうとする。このとき、穿刺針係止部材２０２の保持力によって穿刺針２０１には穿刺針２０１の結合力に逆らう方向に負荷が掛かる。したがって、この負荷によって穿刺針２０１の直列的な結合が外れないようにするためには、弾性的に結合するために穿刺針２０１の射出成型時などの手段により形成する弾性変形部３０４の形状や撓み代を最適な、抜け止め強度が確保できるサイズに調整することで実現できる。
【０１６１】
また、このようにして、交換ジグ１０７による、穿刺を終えた穿刺針２０１を交換して抜き取る動作時に、穿刺針カートリッジ２００内での穿刺針２０１の一群を穿刺器具１０１の先端側に順送できる。
【０１６２】
また、この穿刺針カートリッジ２００は、穿刺針２０１の直線動作時のブレを少なくするため、穿刺針２０１の長手方向において、２箇所以上の複数箇所で支持することによって、その直進動作のガイド部材として機能するものである。
【０１６３】
また、穿刺針２０１の穿刺深さを変える場合には、穿刺深さ調節部１０６を、穿刺器具１０１の本体の長手方向へスライドさせることにより達成される。また、この穿刺深さ調節部１０６は、ここで述べたようなスライド機構以外にも、例えば、穿刺針カートリッジストッパ４０２と係合したリング状の部材などに設けたネジ機構などの回転動作によって、穿刺器具１０１の外周部で操作を行うようにしても穿刺深さの変更を達成できる。
【０１６４】
次に、この穿刺針カートリッジ２００内において、穿刺針２０１を所定の装填個数を使いきった後に、新しい穿刺針２０１を装填する動作について説明する。
【０１６５】
最初、穿刺針カートリッジ２００は穿刺器具１０１に内蔵された構成であることを述べたが、穿刺針２０１を使いきった場合は、穿刺器具１０１の後方にあるキャップ１０５を取り外すことによって、穿刺針カートリッジ２００の後端部が露出する。この穿刺針カートリッジ２００に対して、図３（ａ）に示すような、複数の穿刺針２０１が連結した状態で、穿刺針先頭キャップ３０１側から装填する。このとき、連結された穿刺針２０１群は手で押しこみ続け、最終的に、本体後端キャップ１０５が穿刺針２０１の抜け止め弾性部材２０５に突き当たるまで押しこむことにより、装填操作が完了する。
【０１６６】
以上の操作を反復することにより、血糖値の測定時などに行う穿刺操作を連続的に行うことができ、操作者は、交換ジグ１０７の所定の操作後に、穿刺ボタン１０２を押す事によって図８に示したように、穿刺部１０３を指先や腕などの採血部を軽く押し当てながら、穿刺動作が行え、一連の採血動作を行うことができる。
【０１６７】
以上のような、本発明の実施の形態１に係る穿刺器具セットは、円筒状の穿刺器具１０１の内部に複数個の穿刺針２０１を直列に配列するための穿刺針カートリッジ２００と、前記穿刺針カートリッジ２００を、その軸方向の所定位置で係止させるための穿刺針カートリッジストッパ４０２と、前記穿刺針カートリッジ２００を一方向へ付勢する発射バネ４０３と、前記穿刺針の穿刺後に、引き続く穿刺動作に入るために、前記穿刺針カートリッジを穿刺位置にセットし、使用済みの前記穿刺針を廃棄することができる穿刺針交換ジグ１０７とを備え、穿刺交換ジグを本体ケースに差し込むだけで使用済みの穿刺針を安全に廃棄するとともに、引き続く穿刺動作のための穿刺位置セットを行うので、簡単な操作で穿刺動作を連続的に行うことができ、さらに安全性の高い穿刺器具を提供することができる。
【０１６８】
なお、本実施の形態１において、穿刺針２０１を順送しながら使いきるまで、穿刺針カートリッジ２００の残量が判別できるように、穿刺器具１００の本体ケース１０１の側面に、図１に示したような残量確認窓１０４を設け、外部から穿刺針１９の残り数が容易に確認できるようにしたが、この残量の確認については、図３（ａ）に示すように、個々の穿刺針２０１に通し番号３０３などを、印刷や刻印などによって記しても可能であり、また、個々の穿刺針２０１に色付けを行い、あるいは、最後の一つに赤色などの色付けを行っても可能である。
【０１６９】
（実施の形態２）
本発明の実施の形態２に係る穿刺器具セットは、採血時の穿刺動作を行うときの穿刺針の装填を一度に確実に行うために、穿刺針カートリッジを本体に着脱可能としたものである。
【０１７０】
実施の形態１において、穿刺針カートリッジ２００は穿刺器具１０１の内部に内蔵し、穿刺針２０１のみを交換していたが、本実施の形態２では穿刺針と穿刺針カートリッジとを一体的として交換する形態について以下に述べる。
【０１７１】
図７は本発明の実施の形態２に係る穿刺器具セット７００の構成を示す図である。実施の形態１と異なる部分のみ説明を行う。
【０１７２】
図７（ａ）において、７０７は穿刺針カートリッジの着脱時に本体ケース７０１の一部を開口させるための装填蓋である。
【０１７３】
図７（ｂ）において、７０８は、複数個の穿刺針と一体的に構成され、穿刺器具７０１に着脱可能な穿刺針カートリッジ、７１０は穿刺針カートリッジの装着時に、穿刺器具７０１と係合させる連結突起部、７１１は穿刺針カートリッジを固定させるためのカートリッジストッパ、７１３は穿刺針カートリッジの連結突起部７１０と係合させるための突起部ガイドスリットである。
【０１７４】
次に、本発明の実施の形態２に係る穿刺器具の動作を説明する。
穿刺針カートリッジ７０８を本体へ装着するとき、装填蓋７０７を開けることによって、穿刺器具７０１の内部が開口する。その状態で、穿刺器具７０１の先端部に対して、穿刺針カートリッジ７０８の前後方向を合わせる事によって、穿刺針カートリッジ７０８の先端部に形成された連結突起部７１０と、穿刺器具７０１の先端部に形成された突起部ガイドスリット７１３とを合わせた後、穿刺針カートリッジ７０８を奥まで入れた後、その軸方向に回転させて回転が止まる位置まで回す。この操作によって、穿刺針カートリッジ７０８と穿刺器具７０１とが締結されることになる。その後、本体ケース７０１の側面に設けた装填蓋７０７を閉じることにより穿刺動作に入る準備ができる。この後は前述の実施の形態１で述べた手順と同様の操作によって採血ができることになる。
【０１７５】
以上の操作を反復することにより、血糖値の測定時などに行う穿刺操作を連続的に行うことができ、操作者は、交換ジグ７１４の所定の操作後に、穿刺ボタン７０２を押す事によって図８に示したように、穿刺部７０３を指先や腕などの採血部を軽く押し当てながら、穿刺動作が行え、一連の採血動作を行うことができる。
【０１７６】
以上のような、本発明の実施の形態２に係る穿刺器具は、複数個の穿刺針と一体化された穿刺針カートリッジ７０８を穿刺器具７０１に着脱可能としたので、採血時の穿刺動作を連続的にかつ確実に行うことができ、また、穿刺針の装填を容易にかつ確実に行うことができる。
【０１７７】
なお、本実施の形態２において、穿刺針カートリッジ７０８を穿刺針７０９と一体的に構成したが、実施の形態１のように、穿刺針の交換時、穿刺針カートリッジに、連結した複数の穿刺針を装填するように構成しても良い。
【図面の簡単な説明】
【０１７８】
【図１】本発明の実施の形態１に係る穿刺器具セットの外観図
【図２】本発明の穿刺針カートリッジの構成を示す断面図
【図３（ａ）】本発明における穿刺針の連結した状態を示す外観図
【図３（ｂ）】本発明における穿刺針が連結した状態を示す断面図
【図４】本発明における穿刺器具の概略を示した断面図
【図５】本発明の実施の形態１に係る穿刺器具セットにおいて、交換ジグを用いた穿刺針の交換を示す断面図
【図６】本発明における穿刺器具セットの交換ジグの断面図
【図７（ａ）】本発明の実施の形態２に係る穿刺器具セットの外観図
【図７（ｂ）】本発明の実施の形態２に係る穿刺器具セットにおける穿刺針カートリッジの装填を示す図
【図８】本発明の穿刺器具の穿刺動作を示す図
【図９】従来の穿刺器具の外観図
【符号の説明】
【０１７９】
１００、７００  穿刺器具セット
１０１、７０１、９００  穿刺器具
１０２、７０２、９０２  穿刺ボタン
１０３、７０３  穿刺部
１０４、７０４  残量確認窓
１０５、７０５  本体後端キャップ
１０６、７０６  穿刺深さ調節部
１０７、７１４  穿刺針交換ジグ
２００、７０８  穿刺針カートリッジ
２０１、７０９、９０６  穿刺針
２０２  穿刺針係止部材
２０３、９０５  穿刺針先端部
２０４  窪み部
２０５  穿刺針抜け止め弾性部材
２０６  セット爪係合部
２０７  カートリッジ回転止め
２０８  誤装填防止返し部材
３０１  穿刺針先頭キャップ
３０２  誤装填防止先端部
３０３  通し番号
３０４  弾性変形部
３０５  穿刺針後端部
４０１  穿刺針カートリッジ収納室
４０２  穿刺針カートリッジストッパ
４０３、７１２  発射バネ
４０４  セット爪部
５０２  交換ジグ押し当て部
５０３  交換ジグ返し部材
７０７  装填蓋
７１０  連結突起部
７１１  カートリッジストッパ
７１３  突起部ガイドスリット
９０１  本体ケース
９０３  第１のバネ
９０４  第２のバネ
９０７  穿刺部押圧面
９０８  穿刺針突き出し穴
９０９  穿刺針ホルダーロッド
９１０  穿刺ロッド後端部
９１１  穿刺針ホルダー
９１２  穿刺抵抗部材
９１３  キャップ
【図１】
2005046474.tif 000003
【図２】
2005046474.tif 000004
【図３（ａ）】
2005046474.tif 000005
【図３（ｂ）】
2005046474.tif 000006
【図４】
2005046474.tif 000007
【図５】
2005046474.tif 000008
【図６】
2005046474.tif 000009
【図７（ａ）】
2005046474.tif 000010
【図７（ｂ）】
2005046474.tif 000011
【図８】
2005046474.tif 000012
【図９】
2005046474.tif 000013